(57)【特許請求の範囲】
【請求項１】
複数の送信宛先と当該複数の送信宛先に送信するメール本文とを受け付ける受付部と、
前記メール本文と、前記複数の送信宛先のうち１つの送信宛先を送信先とした送信先情報と、前記複数の送信宛先の一覧を順に示す送信宛先一覧情報であって、当該送信宛先一覧情報における前記１つの送信宛先の順番を前記受付部が受け付けた順番よりも前の順番に繰り上げた送信宛先一覧情報とを有するメールデータを、前記１つの送信宛先毎に生成するメールデータ生成部と、
前記メールデータ生成部が生成したメールデータを送信する送信部と、を備え、
前記メールデータ生成部は、前記複数の送信宛先のうち１つの送信宛先を送信先とした送信先情報と、前記１つの送信宛先の順番を先頭にした送信宛先一覧情報とを有するメールデータを、前記１つの送信宛先毎に生成し、
前記受付部は、前記複数の送信宛先について、ＴＯ宛先およびＣＣ宛先を含む送信宛先の種別の指定を受け付け、
前記送信宛先一覧情報は、ＴＯ宛先の送信宛先の一覧を順に示すＴＯ宛先一覧情報、および、ＣＣ宛先の送信宛先の一覧を順に示すＣＣ宛先一覧情報を含み、
前記メールデータ生成部は、前記受付部が、前記複数の送信宛先について、ＴＯ宛先およびＣＣ宛先を含む送信宛先の種別の指定を受け付けた場合に、前記受付部が受け付けた送信宛先の種別の指定に限られず、前記送信先とされた１つの送信宛先のみをＴＯ宛先一覧情報に含め、前記１つの送信宛先以外の送信宛先をＣＣ宛先一覧情報に含めることで、前記１つの送信宛先の順序を先頭にした送信宛先一覧情報を生成する、通信装置。
【請求項２】
前記メールデータ生成部は、前記受付部が、前記複数の送信宛先について、ＴＯ宛先およびＣＣ宛先を含む送信宛先の種別の指定を受けなかった場合に、前記送信先とされた前記１つの送信宛先のみをＴＯ宛先一覧情報に含め、前記１つの送信宛先以外の送信宛先をＣＣ宛先一覧情報に含めることで、前記１つの送信宛先の順序を先頭にした送信宛先一覧情報を生成する、請求項１に記載の通信装置。
【請求項３】
複数の送信宛先と、当該複数の送信宛先の優先順番とを記憶する記憶部を更に備え、
前記メールデータ生成部は、前記優先順番に基づき前記送信宛先一覧情報に含まれる複数の送信宛先の順番を変更し、前記複数の送信宛先に前記優先順番が同じ送信宛先が含まれる場合に、優先順番が同じ送信宛先のうち１つの送信宛先の順番を優先順番が同じ他の送信宛先の順番よりも前の順番にした送信宛先一覧情報を生成する、請求項１に記載の通信装置。
【請求項４】
前記記憶部は、更に、前記複数の送信宛先のそれぞれに付随する付随情報を記憶し、
前記付随情報に基づき、前記複数の送信宛先の優先順番を決定する優先順番決定部を更に備える、請求項３に記載の通信装置。
【請求項５】
前記メールデータ生成部は、前記送信先情報をエンベロープ情報に含め、前記送信宛先一覧情報をヘッダ情報に含め、当該エンベロープ情報およびヘッダ情報を前記メール本文に付随させて前記メールデータを生成する、請求項１乃至請求項４のいずれか１項に記載の通信装置。
【請求項６】
複数の送信宛先と当該複数の送信宛先に送信するメール本文とを受け付ける受付部と、
前記メール本文と、前記複数の送信宛先のうち１つの送信宛先を送信先とした送信先情報と、前記複数の送信宛先の一覧を順に示す送信宛先一覧情報であって、当該送信宛先一覧情報における前記１つの送信宛先の順番を前記受付部が受け付けた順番よりも前の順番に繰り上げた送信宛先一覧情報とを有するメールデータを、前記１つの送信宛先毎に生成するメールデータ生成部と、
前記メールデータ生成部が生成したメールデータを送信する送信部と、
表示部と、
前記表示部による表示動作を制御する表示制御部と、を備え、
前記表示制御部は、前記送信部が過去に送信したメールデータを前記表示部に表示させる場合に、当該メールデータの前記送信宛先一覧情報に含まれる送信宛先の順番が前記受付部が受け付けた送信宛先の順番から変更されたものであるときには、当該メールデータとともに、前記送信宛先一覧情報に含まれる送信宛先の順番が変更されている旨を示す情報を表示部に表示させる、通信装置。
【請求項７】
前記メールデータ生成部は、前記複数の送信宛先のうち１つの送信宛先を送信先とした送信先情報と、前記１つの送信宛先の順番を先頭にした送信宛先一覧情報とを有するメールデータを、前記１つの送信宛先毎に生成し、
前記受付部は、前記複数の送信宛先について、ＴＯ宛先およびＣＣ宛先を含む送信宛先の種別の指定を受け付け、
前記送信宛先一覧情報は、ＴＯ宛先の送信宛先の一覧を順に示すＴＯ宛先一覧情報、および、ＣＣ宛先の送信宛先の一覧を順に示すＣＣ宛先一覧情報を含み、
前記メールデータ生成部は、前記受付部が、前記複数の送信宛先について、ＴＯ宛先およびＣＣ宛先を含む送信宛先の種別の指定を受け付けた場合に、送信宛先の種別がＴＯ宛先である１つの送信宛先について、当該１つの送信宛先を送信先とした送信先情報と、当該１つの送信宛先の順番を先頭にしたＴＯ宛先一覧情報とを有するメールデータを生成し、送信宛先の種別がＣＣ宛先である１つの送信宛先について、当該１つの送信宛先を送信先とした送信先情報と、当該１つの送信宛先の順番を先頭にしたＣＣ宛先一覧情報とを有するメールデータを生成する、請求項６に記載の通信装置。
【請求項８】
複数の送信宛先と当該複数の送信宛先に送信するメール本文とを受け付ける受付部と、
前記メール本文と、前記複数の送信宛先のうち１つの送信宛先を送信先とした送信先情報と、前記複数の送信宛先の一覧を順に示す送信宛先一覧情報であって、当該送信宛先一覧情報における前記１つの送信宛先の順番を前記受付部が受け付けた順番よりも前の順番に繰り上げた送信宛先一覧情報とを有するメールデータを、前記１つの送信宛先毎に生成するメールデータ生成部と、
前記メールデータ生成部が生成したメールデータを送信する送信部として、コンピューターを機能させ、
更に、コンピューターを、
前記メールデータ生成部が、前記複数の送信宛先のうち１つの送信宛先を送信先とした送信先情報と、前記１つの送信宛先の順番を先頭にした送信宛先一覧情報であって、ＴＯ宛先の送信宛先の一覧を順に示すＴＯ宛先一覧情報、および、ＣＣ宛先の送信宛先の一覧を順に示すＣＣ宛先一覧情報を含む送信宛先一覧情報とを有するメールデータを、前記１つの送信宛先毎に生成し、
前記受付部が、前記複数の送信宛先について、ＴＯ宛先およびＣＣ宛先を含む送信宛先の種別の指定を受け付け、
前記メールデータ生成部が、前記受付部が、前記複数の送信宛先について、ＴＯ宛先およびＣＣ宛先を含む送信宛先の種別の指定を受け付けた場合に、前記受付部が受け付けた送信宛先の種別の指定に限られず、前記送信先とされた１つの送信宛先のみをＴＯ宛先一覧情報に含め、前記１つの送信宛先以外の送信宛先をＣＣ宛先一覧情報に含めることで、前記１つの送信宛先の順序を先頭にした送信宛先一覧情報を生成するように、機能させる通信制御プログラム。
【請求項９】
複数の送信宛先と当該複数の送信宛先に送信するメール本文とを受け付ける受付部と、
前記メール本文と、前記複数の送信宛先のうち１つの送信宛先を送信先とした送信先情報と、前記複数の送信宛先の一覧を順に示す送信宛先一覧情報であって、当該送信宛先一覧情報における前記１つの送信宛先の順番を前記受付部が受け付けた順番よりも前の順番に繰り上げた送信宛先一覧情報とを有するメールデータを、前記１つの送信宛先毎に生成するメールデータ生成部と、
前記メールデータ生成部が生成したメールデータを送信する送信部と、
表示部による表示動作を制御する表示制御部と、して、コンピューターを機能させ、
更に、コンピューターを、
前記表示制御部が、前記送信部が過去に送信したメールデータを前記表示部に表示させる場合に、当該メールデータの前記送信宛先一覧情報に含まれる送信宛先の順番が前記受付部が受け付けた送信宛先の順番から変更されたものであるときには、当該メールデータとともに、前記送信宛先一覧情報に含まれる送信宛先の順番が変更されている旨を示す情報を表示部に表示させるように、機能させる通信制御プログラム。
【発明の詳細な説明】
【技術分野】
【０００１】
本発明は、メールデータを送信する通信装置および通信制御プログラムに関し、特に、メールデータを受信する受信側において表示される送信宛先一覧の順序を変更する技術に関する。
【背景技術】
【０００２】
メールデータを生成するメールクライアント等の通信装置では、送信宛先入力欄やメール本文入力欄等を含むメールデータ作成画面をユーザーに提示して、当該メールデータ作成画面においてユーザーにより入力された情報に基づきメールデータを生成している。メールデータには、メール本文に加えて、メールデータを送信する送信宛先（メールアドレス）の一覧を順に示す送信宛先一覧情報が含まれる。メールデータを受信する受信側の装置では、当該送信宛先一覧情報に基づきメールデータを送信したメールアドレスの一覧をメール本文とともに表示部に表示する。
【０００３】
一般の通信装置では、送信宛先入力欄に入力された入力順にメールアドレスの一覧が示された送信宛先一覧情報が生成される。このため、受信側の装置の表示部には、送信宛先入力欄に入力された入力順にメールアドレスの一覧が表示されることになる。これに対して、特許文献１には、メールアドレスに付随する役職等の情報に基づき、受信側の装置の表示部に表示されるメールアドレスの一覧の表示順序を変更する通信装置が開示されている。当該通信装置では、序列が高い役職の情報が付随されたメールアドレスについて、表示順序を前の順序に変更し、序列が低い役職の情報が付随されたメールアドレスについて、表示順序を後ろの順序に変更している。これにより、受信側の装置の表示部に表示されるメールアドレスの一覧の表示順序を、役職の序列順にすることができる。
【先行技術文献】
【特許文献】
【０００４】
【特許文献１】特開平９−３３１３５０号公報
【発明の概要】
【発明が解決しようとする課題】
【０００５】
メールアドレスの一覧においてメールアドレスが表示される順序が、受信したメールデータに対するユーザーの関心度に影響を及ぼす場合がある。例えば、メールアドレスの一覧において自身のメールアドレスが先頭に表示されたメールデータに対しては、ユーザーが高い関心度を持つ可能性が高い。一方、メールアドレスの一覧において自身のメールアドレスが後ろの方に表示されたメールデータに対しては、ユーザーが低い関心度しか持たない場合がある。
【０００６】
上記の一般の通信装置においてメールデータを生成した場合、送信宛先入力欄に入力された入力順にメールアドレスの一覧が表示される。このため、全ての送信先のメールアドレスのユーザーに、高い関心度を持ってもらいたい場合には、各メールアドレスに対して個別にメールデータを送信する必要があり煩わしい。また、上記の特許文献１に開示される通信装置は、メールアドレスに付随する役職等の情報に基づき、受信側の装置の表示部に表示されるメールアドレスの一覧の表示順序を変更するものであり、上記の一般の通信装置と同様に、全ての送信先のメールアドレスのユーザーに、高い関心度を持ってもらいたいメール作成者の要望に応えることができない。
【０００７】
本発明は上記の事情に鑑みなされたものであり、メールデータの送信先として複数のメールアドレスを受け付けた場合において、全ての送信先のメールアドレスのユーザーに対して高い関心度を持たせるように、受信側の装置の表示部に表示されるメールアドレスの一覧の表示順序を送信先のメールアドレス毎に適した順序にすることを可能とすることを目的とする。
【課題を解決するための手段】
【０００８】
本発明の一局面にかかる通信装置は、複数の送信宛先と当該複数の送信宛先に送信するメール本文とを受け付ける受付部と、前記メール本文と、前記複数の送信宛先のうち１つの送信宛先を送信先とした送信先情報と、前記複数の送信宛先の一覧を順に示す送信宛先一覧情報であって、当該送信宛先一覧情報における前記１つの送信宛先の順番を前記受付部が受け付けた順番よりも前の順番に繰り上げた送信宛先一覧情報とを有するメールデータを、前記１つの送信宛先毎に生成するメールデータ生成部と、前記メールデータ生成部が生成したメールデータを送信する送信部と、を備え、前記メールデータ生成部は、前記複数の送信宛先のうち１つの送信宛先を送信先とした送信先情報と、前記１つの送信宛先の順番を先頭にした送信宛先一覧情報とを有するメールデータを、前記１つの送信宛先毎に生成し、前記受付部は、前記複数の送信宛先について、ＴＯ宛先およびＣＣ宛先を含む送信宛先の種別の指定を受け付け、前記送信宛先一覧情報は、ＴＯ宛先の送信宛先の一覧を順に示すＴＯ宛先一覧情報、および、ＣＣ宛先の送信宛先の一覧を順に示すＣＣ宛先一覧情報を含み、前記メールデータ生成部は、前記受付部が、前記複数の送信宛先について、ＴＯ宛先およびＣＣ宛先を含む送信宛先の種別の指定を受け付けた場合に、前記受付部が受け付けた送信宛先の種別の指定に限られず、前記送信先とされた１つの送信宛先のみをＴＯ宛先一覧情報に含め、前記１つの送信宛先以外の送信宛先をＣＣ宛先一覧情報に含めることで、前記１つの送信宛先の順序を先頭にした送信宛先一覧情報を生成する、通信装置である。
【０００９】
また、本発明の他の一局面にかかる通信制御プログラムは、複数の送信宛先と当該複数の送信宛先に送信するメール本文とを受け付ける受付部と、前記メール本文と、前記複数の送信宛先のうち１つの送信宛先を送信先とした送信先情報と、前記複数の送信宛先の一覧を順に示す送信宛先一覧情報であって、当該送信宛先一覧情報における前記１つの送信宛先の順番を前記受付部が受け付けた順番よりも前の順番に繰り上げた送信宛先一覧情報とを有するメールデータを、前記１つの送信宛先毎に生成するメールデータ生成部と、前記メールデータ生成部が生成したメールデータを送信する送信部として、コンピューターを機能させ、更に、コンピューターを、前記メールデータ生成部が、前記複数の送信宛先のうち１つの送信宛先を送信先とした送信先情報と、前記１つの送信宛先の順番を先頭にした送信宛先一覧情報であって、ＴＯ宛先の送信宛先の一覧を順に示すＴＯ宛先一覧情報、および、ＣＣ宛先の送信宛先の一覧を順に示すＣＣ宛先一覧情報を含む送信宛先一覧情報とを有するメールデータを、前記１つの送信宛先毎に生成し、前記受付部が、前記複数の送信宛先について、ＴＯ宛先およびＣＣ宛先を含む送信宛先の種別の指定を受け付け、前記メールデータ生成部が、前記受付部が、前記複数の送信宛先について、ＴＯ宛先およびＣＣ宛先を含む送信宛先の種別の指定を受け付けた場合に、前記受付部が受け付けた送信宛先の種別の指定に限られず、前記送信先とされた１つの送信宛先のみをＴＯ宛先一覧情報に含め、前記１つの送信宛先以外の送信宛先をＣＣ宛先一覧情報に含めることで、前記１つの送信宛先の順序を先頭にした送信宛先一覧情報を生成するように、機能させる通信制御プログラムである。
【発明の効果】
【００１０】
本発明によれば、メールデータの送信先として複数のメールアドレスを受け付けた場合において、全ての送信先のメールアドレスのユーザーに対して高い関心度を持たせるように、受信側の装置の表示部に表示されるメールアドレスの一覧の表示順序を送信先のメールアドレス毎に適した順序にすることが可能となる。
【図面の簡単な説明】
【００１１】
【図１】本発明の実施形態１にかかるメール送受信システムの概念図である。
【図２】本発明の実施形態１にかかるメールクライアントの構成を示すブロック図である。
【図３】本発明の実施形態１にかかるメールクライアントの表示部に表示されるメールデータ生成画面の一例を示す図である。
【図４】図３に示すメールデータ生成画面において入力された情報に基づき、第１のメールデータ生成モードにおいて生成されるメールデータの内容の一例を示す図である。
【図５】（Ａ）は、図４に示されるメールデータを受信したメールクライアントの表示部に表示されるメールデータ表示画面の一例を示す図であり、（Ｂ）は、図６（Ａ）に示されるメールデータを受信したメールクライアントの表示部に表示されるメールデータ表示画面の一例を示す図である。
【図６】（Ａ）および（Ｂ）は、図３に示すメールデータ生成画面において入力された情報に基づき、第２のメールデータ生成モードにおいて生成されるメールデータの内容の一例を示す図である。
【図７】本発明の実施形態１にかかるメールクライアントの表示部に表示される送信済みメールデータ表示画面の一例を示す図である。
【図８】本発明の実施形態１にかかるメールクライアントによるメールデータ生成処理および送信処理の動作の流れを示すフローチャートである。
【図９】補足２にかかるメールクライアントの表示部に表示されるメールデータ生成画面の一例を示す図である。
【図１０】図９に示すメールデータ生成画面において入力された情報に基づき、第１のメールデータ生成モードにおいて生成されるメールデータの内容の一例を示す図である。
【図１１】（Ａ）は、図９に示すメールデータ生成画面において入力された情報に基づき、第２のメールデータ生成モードにおいて生成されるメールデータの内容の一例を示す図であり、（Ｂ）は、（Ａ）に示されるメールデータを受信したメールクライアントの表示部に表示されるメールデータ表示画面の一例を示す図である。
【図１２】実施形態２にかかるメールクライアントの表示部に表示されるメールデータ生成画面の一例を示す図である。
【図１３】（Ａ）および（Ｂ）は、図１２に示すメールデータ生成画面において入力された情報に基づき生成されるメールデータの内容の一例を示す図である。
【図１４】実施形態２にかかるメールクライアントによるメールデータ生成処理および送信処理の動作の流れを示すフローチャートである。
【図１５】実施形態３にかかるメールクライアントの記憶部に記憶されるメールアドレスの表示順序に関する優先順位の内容の一例を示す図である
【図１６】（Ａ）は、実施形態３にかかるメールクライアントの表示部に表示されるメールデータ生成画面の一例を示す図であり、（Ｂ）は、図１５に示される優先順位に基づき決定されるメールアドレスの表示順序を示す図である。
【図１７】（Ａ）および（Ｂ）は、図１６（Ａ）に示すメールデータ生成画面において入力された情報に基づき生成されるメールデータの内容の一例を示す図である。
【図１８】実施形態３にかかるメールクライアントによるメールデータ生成処理および送信処理の動作の流れを示すフローチャートである。
【発明を実施するための形態】
【００１２】
以下、本発明の一実施形態にかかる通信装置および通信制御プログラムについて図面を参照して説明する。
【００１３】
＜実施形態１＞
図１は、本発明の実施形態１にかかるメール送受信システムの概念図である。メール送受信システムは、インターネットを介して互いに接続されたメールクライアント（通信装置）およびメールサーバーからなる。
【００１４】
メールクライアント１Ａおよびメールクライアント１Ｂ（以下、まとめて「メールクライアント１」と呼ぶ場合がある）は、スマートフォン等の携帯端末やＰＣ（Personal Computer）である。メールクライアント１は、携帯電話会社の通信網や公衆無線ＬＡＮ（Local Area Network）等を介してインターネットに接続することで、メールサーバー２Ａとデータ通信が可能となる。メールクライアント１は、メール作成者のユーザー操作に応じたメールデータを生成し、当該生成したメールデータをＳＭＴＰ（Simple Mail Transfer Protocol）を用いてメールサーバー２Ａに送信する。
【００１５】
メールサーバー２Ａは、メールクライアント１から送信されたメールデータに基づき、他のメールサーバー２Ｂまたはメールサーバー２Ｃにメールデータを配送する。
【００１６】
メールクライアント３やメールクライアント４は、メールサーバー２Ｂまたはメールサーバー２Ｃと通信して、メールデータが配送されている場合にメールデータをダウンロード（受信）する。
【００１７】
図２は、メールクライアント１の構成を示すブロック図である。メールクライアント１は、通信部１１、表示部１２、操作部１３、および記憶部１４を備える。
【００１８】
通信部１１は、ＬＡＮチップ等の通信モジュールを備え、後述する通信制御部５４による制御の下、メールサーバー２Ａとの間でデータの送受信を行う。
【００１９】
表示部１２は、液晶ディスプレイ（ＬＣＤ：Liquid Crystal Display）や有機ＥＬ（ＯＬＥＤ：Organic Light-Emitting Diode）ディスプレイを含んで構成される。表示部１２は後述する表示制御部５５による制御の下、メールデータ生成画面やメールデータ表示画面等を表示する。
【００２０】
操作部１３は、キーボード等の入力装置やマウス等のポインティングデバイスを含んで構成される。操作部１３は、表示部１２に表示される画面に対するユーザー操作をメール作成者から受け付ける。
【００２１】
記憶部１４は、ＨＤＤ（Hard Disk Drive）等の大容量の記憶装置である。
【００２２】
メールクライアント１は、更に、制御ユニット５０を備えている。制御ユニット５０は、ＣＰＵ(Central Processing Unit)、ＲＡＭ（Random Access Memory）、及びＲＯＭ（Read Only Memory）等から構成される。制御ユニット５０は、上記のＲＯＭ又は記憶部１４に記憶された通信制御プログラム等のプログラムが上記のＣＰＵに実行されることにより、制御部５１、受付部５２、メールデータ生成部５３、通信制御部５４、および表示制御部５５として機能する。なお、制御ユニット５０の制御部５１、受付部５２、メールデータ生成部５３、通信制御部５４、および表示制御部５５は、前述のプログラムに基づく動作によらず、それぞれハード回路により構成されてもよい。
【００２３】
制御部５１は、メールクライアント１の全体的な動作制御を司る。制御部５１は、通信部１１、表示部１２、操作部１３、および記憶部１４等と接続されており、接続されている上記各構成の動作制御や各構成との間での信号又はデータの送受信を行う。
【００２４】
受付部５２は、メール作成者の操作部１３を用いたユーザー操作に基づき、通信部１１が受信したメールデータに対する返信指示、メール本文の入力指示、送信先のメールアドレスの入力指示、および送信宛先の種別の選択指示等の指示を受け付ける機能を有する。
【００２５】
メールデータ生成部５３は、受付部５２が受け付けた上記指示に基づいてメールデータを生成する機能を有する。
【００２６】
図３は、表示部１２に表示されるメールデータ生成画面Ｄ１の一例を示す図である。メールデータ生成画面Ｄ１には、ＴＯ宛先の入力指示を受け付けるためのＴＯ宛先入力欄ｄ１、ＣＣ（Carbon Copy）宛先の入力指示を受け付けるためのＣＣ宛先入力欄ｄ２、ＢＣＣ（Blind Carbon Copy）宛先の入力指示を受け付けるためのＢＣＣ宛先入力欄ｄ３、件名の入力指示を受け付けるための件名入力欄ｄ４、およびメール本文の入力指示を受け付けるためのメール本文入力欄ｄ５が設けられている。また、メールデータ生成画面Ｄ１には、送信ボタンｄ６が設けられている。受付部５２が送信ボタンｄ６の選択を受け付けると、メールデータ生成部５３は、上記の各入力欄に入力された情報に応じたメールデータを生成する。
【００２７】
メールクライアント１は、メールデータを生成する処理に関して、第１のメールデータ生成モードと、第２のメールデータ生成モードとの２つの動作モードを有する。第１のメールデータ生成モードは、一般のメールクライアントと同様に、ＴＯ宛先入力欄ｄ１に入力された順に送信先のメールアドレスの一覧が示されたＴｏ情報（送信宛先一覧情報）を含むメールデータを生成する動作モードである。一方、第２のメールデータ生成モードは、ＴＯ宛先入力欄ｄ１に入力された順に送信先のメールアドレスの一覧が示されたＴｏ情報を生成するのではなく、ＴＯ宛先入力欄ｄ１に入力された順序から変更した順序でメールアドレスの一覧が示されたＴｏ情報を生成して、当該生成したＴＯ情報を含むメールデータを生成する動作モードである。
【００２８】
まず、第１のメールデータ生成モードについて説明する。図４は、図３に示すメールデータ生成画面Ｄ１において入力された情報に基づき、第１のメールデータ生成モードにおいて生成されるメールデータＭ１の内容の一例を示す図である。メールデータＭ１は、エンベロープ情報Ｆ１、ヘッダ情報Ｆ２、およびメール本文情報Ｆ３から構成される。エンベロープ情報Ｆ１は、メールデータの送信元のメールアドレスを示すＭＡＩＬ ＦＲＯＭ情報と、メールデータの送信先のメールアドレスの情報を示すＲＥＣＰＴ ＴＯ情報（送信先情報）とを含む。メールデータ生成部５３は、メール作成者のメールアドレスをＭＡＩＬ ＦＲＯＭ情報とし、ＴＯ宛先入力欄ｄ１、ＣＣ宛先入力欄ｄ２、およびＢＣＣ宛先入力欄ｄ３に入力された全てのメールアドレスをＲＥＣＰＴ ＴＯ情報としたエンベロープ情報Ｆ１を生成する（図４中の点線領域ｆ１内を参照）。当該生成されたエンベロープ情報Ｆ１は、メールサーバー２Ａにおいて、配送先のメールサーバーを特定する際に用いられる。
【００２９】
ヘッダ情報Ｆ２は、メールデータの送信時刻を示すＤａｔａ情報と、メールデータの送信元のメールアドレスを示すＦｒｏｍ情報と、ＴＯ送信先のメールアドレスの一覧を示すＴｏ情報と、ＣＣ送信先のメールアドレスの一覧を示すＣＣ情報と、件名を示すＳｕｂｊｅｃｔ情報と、メールデータ毎の固有の識別子であるＭｅｓｓａｇｅ−ｉｄ情報等とを含む。メールデータ生成部５３は、ＴＯ宛先入力欄ｄ１に入力されたメールアドレスの一覧をＴｏ情報とし、ＣＣ宛先入力欄ｄ２に入力されたメールアドレスの一覧をＣＣ情報とし、件名入力欄ｄ４に入力された内容をＳｕｂｊｅｃｔ情報としたヘッダ情報Ｆ２を生成する。特に、第１のメールデータ生成モードでは、メールデータ生成部５３は、ＴＯ宛先入力欄ｄ１に入力された順にメールアドレスの一覧が示されたＴｏ情報を生成する（図４中の点線領域ｆ２内を参照）。なお、メールデータ生成部５３は、ＢＣＣ情報入力欄ｄ３に入力されたメールアドレスをヘッダ情報Ｆ２に含めない。
【００３０】
当該生成されたヘッダ情報Ｆ２は、メールデータＭ１を受信したメールクライアント１、メールクライアント３またはメールクライアント４等により解析される。メールデータＭ１を受信したメールクライアントは、その解析結果に基づいて、表示部に表示させる表示画面の内容を決定する。図５（Ａ）は、図４に示されるメールデータＭ１を受信したメールクライアントの表示部に表示されるメールデータ表示画面Ｄ２の一例を示す図である。メールデータ表示画面Ｄ２には、送信者表示欄ｄ１１、ＴＯ宛先表示欄ｄ１２、ＣＣ宛先表示欄ｄ１３、件名表示欄ｄ１４、およびメール本文表示欄ｄ１５が設けられている。メールデータＭ１を受信したメールクライアントは、表示部に、ヘッダ情報Ｆ２のＦｒｏｍ情報に示されるメールアドレスを送信者表示欄ｄ１１に表示し、Ｔｏ情報に示されるメールアドレスの一覧をＴＯ宛先表示欄ｄ１２に表示し、ＣＣ情報に示されるメールアドレスの一覧をＣＣ宛先表示欄ｄ１３に表示し、Ｓｕｂｊｅｃｔ情報に示される内容を件名表示欄ｄ１４に表示し、メール本文情報Ｆ３に示される内容をメール本文表示欄ｄ１５に表示する。特に、メールデータＭ１を受信したメールクライアントは、メールデータＭ１に含まれるＴＯ情報に示されるメールアドレスの順に、ＴＯ宛先表示欄ｄ１２にメールアドレスの一覧を表示する。すなわち、メールデータＭ１を受信したメールクライアントの表示部のＴＯ宛先表示欄ｄ１２には、第１のメールデータ生成モードにおいてＴＯ宛先入力欄ｄ１に入力された入力順にメールアドレスの一覧が表示されることになる。
【００３１】
次に、第２のメールデータ生成モードについて説明する。第２のメールデータ生成モードでは、メールデータ生成部５３は、ＴＯ宛先入力欄ｄ１に入力された複数のメールアドレスのうち１つのメールアドレスを送信先としたＲＥＣＰＴ ＴＯ情報と、当該１つのメールアドレスの順番を先頭にしたＴＯ情報とを有するメールデータを、当該１つのメールアドレス毎に生成する。この結果、ＴＯ宛先入力欄ｄ１に入力された複数のメールアドレスのそれぞれについて、エンベロープ情報Ｆ１およびヘッダ情報Ｆ２が異なる（メール本文情報Ｆ３は共通する）メールデータが生成されることになる。
【００３２】
図６（Ａ）および図６（Ｂ）は、図３に示すメールデータ生成画面Ｄ１において入力された情報に基づき、第２のメールデータ生成モードにおいて生成されるメールデータＭ１の内容の一例を示す図である。図６（Ａ）に示されるメールデータＭ１は、メールアドレス「ddd@ddd.com」を送信先としたメールデータであり、ＲＥＣＰＴ ＴＯ情報にはメールアドレス「ddd@ddd.com」のみが含まれている（図６（Ａ）中の点線領域ｆ１内を参照）。また、当該メールデータＭ１のＴＯ情報には、ＴＯ宛先入力欄ｄ１に入力された入力順に並ぶメールアドレスの一覧から、メールアドレス「ddd@ddd.com」の順番を先頭に変更したメールアドレスの一覧が含まれている（図６（Ａ）中の点線領域ｆ２内を参照）。
【００３３】
この図６（Ａ）に示すメールデータＭ１は、メールアドレス「ddd@ddd.com」に対応するメールクライアントにより受信される。当該受信したメールクライアントの表示部には、図５（Ｂ）に示すメールデータ表示画面Ｄ２が表示される。すなわち、メールクライアントの表示部のＴＯ宛先表示欄ｄ１２には、ＴＯ宛先入力欄ｄ１に入力された入力順にメールアドレスの一覧が表示されるのではなく、自身（メールデータＭ１を受信したメールクライアント）のメールアドレス「ddd@ddd.com」の順番を先頭にしたメールアドレスの一覧が表示される。
【００３４】
また、図６（Ｂ）に示されるメールデータＭ１は、メールアドレス「eee@eee.com」を送信先としたメールデータであり、ＲＥＣＰＴ ＴＯ情報にはメールアドレス「eee@eee.com」のみが含まれ、ＴＯ情報にはＴＯ宛先入力欄ｄ１に入力された入力順に並ぶメールアドレスの一覧からメールアドレス「eee@eee.com」の順番を先頭に変更したメールアドレ
スの一覧が含まれている。
【００３５】
図６（Ａ）に示すメールデータは、メールアドレス「ddd@ddd.com」を送信先としたメールデータであり、図６（Ｂ）に示すメールデータは、メールアドレス「eee@eee.com」を送信先としたメールデータであるが、メールデータ生成部５３は、この他に、図３に示すＴＯ宛先入力欄ｄ１に入力された他のメールアドレスであるメールアドレス「bbb@bbb.com」を送信先としたメールデータ、および、メールアドレス「ccc@ccc.com」を送信先としたメールデータを生成する。
【００３６】
メールデータＭ１を受信したメールクライアントにおいて、ＴＯ宛先表示欄ｄ１２に表示されるメールアドレスの一覧の順序が、受信したメールデータＭ１に対するユーザーの関心度に影響を及ぼす場合がある。例えば、ＴＯ宛先表示欄ｄ１２に自身のメールアドレスが先頭に表示されたメールデータＭ１に対しては、ユーザーが高い関心度を持つ可能性が高い。一方、ＴＯ宛先表示欄ｄ１２に表示されるメールアドレスの一覧において自身のメールアドレスが後ろの方に表示されたメールデータＭ１に対しては、ユーザーが低い関心度しか持たない場合がある。
【００３７】
一般のメールクライアントにおいてメールデータを生成した場合、受信側のメールクライアントのＴＯ宛先表示欄には、送信宛先入力欄に入力された入力順にメールアドレスの一覧が表示される。このため、全ての送信先のメールアドレスのユーザーに、高い関心度を持ってもらいたい場合には、各メールアドレスに対して個別にメールデータを生成する必要があり煩わしい。
【００３８】
これに対して、本実施形態にかかるメールクライアント１では、メールデータ生成部５３が、ＴＯ宛先入力欄ｄ１に入力された複数のメールアドレスのうち１つのメールアドレスを送信先としたＲＥＣＰＴ ＴＯ情報と、当該１つのメールアドレスの順番を先頭にしたＴＯ情報とを有するメールデータを、当該１つのメールアドレス毎に生成する。これにより、受信側の各メールクライアントにおいて、当該各メールクライアントのメールアドレスの順番を先頭にしたメールアドレスの一覧をＴＯ宛先表示欄ｄ１２に表示させることができる。その結果、全ての送信先のメールアドレスのユーザーに、メールデータに対して高い関心度を持たせることができる。
【００３９】
通信制御部５４は、通信部１１によるデータの通信動作を制御して、メールデータを送信する送信部とメールデータを受信する受信部として機能する。具体的には、通信制御部５４は、通信部１１を介してメールデータ生成部５３が生成したメールデータをメールサーバー２Ａへ送信する。また、通信制御部５４は、受付部５２がメール受信確認指示を受け付けたタイミングや予め定められた時間が経過したタイミングで、通信部１１を介してメールサーバー２Ａと通信してメールデータが配送されているか否かの確認を行う。メールデータが配送されている場合、通信制御部５４は、通信部１１を介してメールサーバー２Ａからメールデータをダウンロードする。
【００４０】
表示制御部５５は、表示部１２による画像の表示動作を制御する機能を有する。例えば、表示制御部５５は、上記のメールデータ生成画面Ｄ１やメールデータ表示画面Ｄ２を表示部１２に表示させる。また、表示制御部５５は、図７に示す送信済みメールデータ表示画面Ｄ３を表示部１２に表示させる。送信済みメールデータ表示画面Ｄ３には、通信制御部５４により送信されたメールデータの送信先のメールアドレスの一覧やメール本文の情報とともに、送信済みである旨を示す情報ｄ２１およびメールアドレスの表示順序を変更してメールデータを送信した旨を示す情報ｄ２２が含まれる。これにより、メールデータ生成部５３がＴＯ宛先入力欄ｄ１に入力された順序から変更した順序でメールアドレスの一覧が示されたＴｏ情報を生成して、通信制御部５４が当該生成したＴＯ情報を含むメールデータを送信した場合に、ユーザーに対してメールアドレスの表示順序を変更してメールデータを送信した旨を報知することができる。
【００４１】
次に、上記構成を備えるメールクライアント１の動作の流れについて説明する。図８は、メールクライアント１によるメールデータ生成処理および送信処理の動作の流れを示すフローチャートである。メールクライアント１の制御部５１は、メールクライアント１の動作モードが第２のメールデータ生成モードであるか否かを判定する（ステップＳ１０）。制御部５１は、受付部５２が操作部１３等を用いたユーザー操作に基づき第２のメールデータ生成モードに遷移すべき指示を受け付けた場合に、メールクライアント１の動作モードを第２のメールデータ生成モードに切り替える。
【００４２】
動作モードが第２のメールデータ生成モードではなく、第１のメールデータ生成モードである場合（ステップＳ１０においてＮＯ）、メールデータ生成部５３や通信制御部５４は、通常のメールデータ生成処理および送信処理を行う（ステップＳ１８）。これらの処理は、一般のメールクライアントにおける処理と同様の処理であるため説明を略する。
【００４３】
動作モードが第２のメールデータ生成モードである場合（ステップＳ１０においてＹＥＳ）、表示制御部５５は、メールデータ生成画面Ｄ１を表示部１２に表示させる（ステップＳ１１）。
【００４４】
そして受付部５２が送信先の複数のメールアドレスおよびメール本文等を受け付け（ステップＳ１２）、その後に受付部５２がメールデータ送信指示を受け付けると（ステップＳ１３においてＹＥＳ）、メールデータ生成部５３は、ＴＯ宛先入力欄ｄ１に入力された複数のメールアドレスのうち１つのメールアドレスを送信先としたＲＥＣＰＴ ＴＯ情報と、当該１つのメールアドレスの順番を先頭にしたＴＯ情報とを有するメールデータを生成する（ステップＳ１４）。
【００４５】
そして、メールデータ生成部５３は、ステップＳ１４のメールデータ生成処理を、ＴＯ宛先入力欄ｄ１に入力された全てのメールアドレスに対して実行する（ステップＳ１５）。
【００４６】
ＴＯ宛先入力欄ｄ１に入力された全てのメールアドレスに対してメールデータを生成した場合（ステップＳ１５においてＹＥＳ）、通信制御部５４は、通信部１１を介してメールデータ生成部５３が生成した複数のメールデータをメールサーバー２Ａへ送信する（ステップＳ１６）
【００４７】
メールデータの送信後、制御部５１は、ステップＳ１６の処理で送信したメールデータを、メールアドレスの順序を変更してメールデータを送信した旨を示す情報とともに記憶部１４に記憶させる（ステップＳ１７）。記憶部１４に記憶された当該情報は、表示制御部５５により送信済みメールデータ表示画面Ｄ３を表示部１２に表示させる際に読み出される。
【００４８】
＜補足１＞
上記の実施形態１では、メールデータ生成部５３が、ＴＯ宛先入力欄ｄ１に入力された複数のメールアドレスのうち１つのメールアドレスの順番を先頭にしたＴＯ情報を有するメールデータを生成する場合を説明したが、本発明は必ずしもこの場合に限定されない。メールデータ生成部５３は、上記の１つのメールアドレスの順番を先頭にしたＴＯ情報を生成しなくとも、上記の１つのメールアドレスの順番を受付部５２が受け付けた順番よりも前の順番に繰り上げたＴＯ情報を生成してもよい。これにより、受信側のＴＯ宛先表示欄ｄ１２に表示される各メールクライアントのメールアドレスの順序を、一般のメールクライアントでメールデータを生成した場合と比較して前の順序にすることができる。その結果、全ての送信先のメールアドレスのユーザーに、メールデータに対する高い関心度を持たせることが可能になる。
【００４９】
＜補足２＞
上記の実施形態１では、メールデータ生成部５３が、ＴＯ宛先入力欄ｄ１に入力された複数のメールアドレスのうち１つのメールアドレスを送信先としたＲＥＣＰＴ ＴＯ情報と、当該１つのメールアドレスの順番を先頭にしたＴＯ情報とを有するメールデータを、当該１つのメールアドレス毎に生成する場合を説明したが、本発明は必ずしもこの場合に限定されない。メールデータ生成部５３は、ＣＣ宛先入力欄ｄ２に入力された複数のメールアドレスのうち１つのメールアドレスを送信先としたＲＥＣＰＴ ＴＯ情報と、当該１つのメールアドレスの順番を先頭にしたＣＣ情報（ＣＣ宛先一覧情報）とを有するメールデータを、当該１つのメールアドレス毎に生成するとしてもよい。
【００５０】
図９は、補足２にかかるメールクライアント１の表示部１２に表示されるメールデータ生成画面Ｄ１の一例を示す図である。図１０は、図９に示すメールデータ生成画面Ｄ１において入力された情報に基づき、第１のメールデータ生成モードにおいて生成されるメールデータＭ１の内容の一例を示す図である。第１のメールデータ生成モードでは、メールデータ生成部５３は、ＣＣ宛先入力欄ｄ２に入力された順にメールアドレスの一覧が示されたＣＣ情報を生成する（図１０中の点線領域ｆ３内を参照）。
【００５１】
図１１（Ａ）は、図９に示すメールデータ生成画面Ｄ１において入力された情報に基づき、第２のメールデータ生成モードにおいて生成されるメールデータＭ１の内容の一例を示す図である。第２のメールデータ生成モードでは、メールデータ生成部５３は、ＣＣ宛先入力欄ｄ２に入力された順にメールアドレスの一覧が示されたＣＣ情報を生成するのではなく、ＣＣ宛先入力欄ｄ２に入力された複数のメールアドレスのうち１つのメールアドレスの順番を先頭にしたＣＣ情報を有するメールデータを生成する。図１１（Ａ）に示されるメールデータＭ１は、メールアドレス「hhh@hhh.com」を送信先としたメールデータ
であり、ＲＥＣＰＴ ＴＯ情報にはメールアドレス「hhh@hhh.com」のみが含まれている（図１１（Ａ）中の点線領域ｆ１内を参照）。また、当該メールデータＭ１のＴＯ情報には、ＴＯ宛先入力欄ｄ１に入力された入力順に並ぶメールアドレスの一覧が含まれている（図１１（Ａ）中の点線領域ｆ２内を参照）。また、当該メールデータＭ１のＣＣ情報には、ＣＣ宛先入力欄ｄ２に入力された入力順に並ぶメールアドレスの一覧から、メールアドレス「hhh@hhh.com」の順番を先頭に変更したメールアドレスの一覧が含まれている（図１１（Ａ）中の点線領域ｆ３内を参照）。
【００５２】
この図１１（Ａ）に示すメールデータＭ１は、メールアドレス「hhh@hhh.com」に対応
するメールクライアントにより受信される。当該受信したメールクライアントの表示部には、図１１（Ｂ）に示すメールデータ表示画面Ｄ２が表示される。すなわち、メールクライアントの表示部のＣＣ宛先表示欄ｄ１３には、ＣＣ宛先入力欄ｄ２に入力された入力順にメールアドレスの一覧が表示されるのではなく、自身（メールデータＭ１を受信したメールクライアント）のメールアドレス「hhh@hhh.com」の順番を先頭にしたメールアドレスの一覧が表示される。
【００５３】
以上のように補足２にかかるメールクライアント１では、受付部５２が、送信先の複数のメールアドレスについて、ＴＯ宛先およびＣＣ宛先を含むメールアドレスの種別の指定を受け付ける。そして、メールデータ生成部５３は、メールアドレスの種別がＴＯ宛先である１つのメールアドレスについて、当該１つのメールアドレスを送信先としたＲＥＣＰＴ ＴＯ情報と、当該１つのメールアドレスの順番を先頭にしたＴＯ情報とを有するメールデータを生成する。また、メールデータ生成部５３は、メールアドレスの種別がＣＣ宛先である１つのメールアドレスについて、当該１つのメールアドレスを送信先としたＲＥＣＰＴ ＴＯ情報と、当該１つのメールアドレスの順番を先頭にしたＣＣ情報とを有するメールデータを生成する。この場合においても、上記の実施形態１で説明した効果と同様の効果が得られる。
【００５４】
＜実施形態２＞
実施形態１にかかるメールクライアント１では、受付部５２が送信先の複数のメールアドレスについて、ＴＯ宛先およびＣＣ宛先を含むメールアドレスの種別の指定を受け付け、メールデータ生成部５３が同じ種別の複数のメールアドレス内でメールアドレスの順序を変更していた。これに対して、実施形態２にかかるメールクライアント１では、メールデータ生成部５３が同じ種別の複数のメールアドレス内でメールアドレスの順序を変更するのではなく、異なる種別の複数のメールアドレスに跨がってメールアドレスの順序を変更する。
【００５５】
図１２は、実施形態２にかかるメールクライアント１の表示部１２に表示されるメールデータ生成画面Ｄ４の一例を示す図である。メールデータ生成画面Ｄ４は、メールデータ生成画面Ｄ１と異なり、ＴＯ宛先入力欄ｄ１、ＣＣ宛先入力欄ｄ２、およびＢＣＣ宛先入力欄ｄ３が設けられていない（図３参照）。その代わりに、メールデータ生成画面Ｄ４には、送信先のメールアドレスを受け付けるための宛先入力欄ｄ７が設けられている。受付部５２は、ＴＯ宛先、ＣＣ宛先、ＢＣＣ宛先といったメールデータの種別の指定を受け付けず、送信先のメールアドレスとして宛先入力欄ｄ７に入力された複数のメールアドレスを受け付ける。
【００５６】
メールデータ生成部５３は、宛先入力欄ｄ７に入力された複数のメールアドレスのうち１つのメールアドレスを送信先としたＲＥＣＰＴ ＴＯ情報と、当該１つのメールアドレスのみをＴＯ情報に含め、当該１つのメールアドレス以外のメールアドレスをＣＣ情報に含めたメールデータを、当該１つのメールアドレス毎に生成する。
【００５７】
図１３（Ａ）および図１３（Ｂ）は、図１２に示すメールデータ生成画面Ｄ４において入力された情報に基づき生成されるメールデータＭ１の内容の一例を示す図である。図１３（Ａ）に示されるメールデータＭ１は、メールアドレス「ddd@ddd.com」を送信先としたメールデータであり、ＲＥＣＰＴ ＴＯ情報にはメールアドレス「ddd@ddd.com」のみが含まれている（図１３（Ａ）中の点線領域ｆ１内を参照）。また、当該メールデータＭ１のＴＯ情報には、宛先入力欄ｄ７に入力された複数のメールアドレスから、メールアドレス「ddd@ddd.com」のみが含まれている（図１３（Ａ）中の点線領域ｆ２内を参照）。また、当該メールデータＭ１のＣＣ情報には、宛先入力欄ｄ７に入力された複数のメールアドレスから、メールアドレス「ddd@ddd.com」以外のメールアドレスが含まれている（図１３（Ａ）中の点線領域ｆ３内を参照）。
【００５８】
また、図１３（Ｂ）に示されるメールデータＭ１は、メールアドレス「eee@eee.com」を送信先としたメールデータであり、ＲＥＣＰＴ ＴＯ情報にはメールアドレス「eee@eee.com」のみが含まれ、ＴＯ情報には宛先入力欄ｄ７に入力された複数のメールアドレスからメールアドレス「eee@eee.com」のみが含まれ、ＣＣ情報にはメールアドレス「eee@eee.com」以外のメールアドレスが含まれている。
【００５９】
図１３（Ａ）に示すメールデータは、メールアドレス「ddd@ddd.com」を送信先としたメールデータであり、図１３（Ｂ）に示すメールデータは、メールアドレス「eee@eee.com」を送信先としたメールデータであるが、メールデータ生成部５３は、この他に、図１２に示す宛先入力欄ｄ７に入力された他のメールアドレスであるメールアドレス「bbb@bbb.com」を送信先としたメールデータ、および、メールアドレス「ccc@ccc.com」を送信先としたメールデータを生成する。
【００６０】
このように実施形態２にかかるメールクライアント１では、送信先のメールアドレスの一覧が示された送信宛先一覧情報は、ＴＯ情報およびＣＣ情報からなる。ＴＯ情報に含まれるメールアドレスは、ＣＣ情報に含まれるメールアドレスよりも、送信宛先一覧情報におけるメールアドレスの並びが先となる。このため、実施形態２にかかるメールクライアント１では、メールデータ生成部５３が、宛先入力欄ｄ７に入力された複数のメールアドレスのうち１つのメールアドレスのみをＴＯ情報に含め、当該１つのメールアドレス以外のメールアドレスをＣＣ情報に含めることで、当該１つのメールアドレスの順序を先頭にした送信宛先一覧情報を生成しているといえる。
【００６１】
メールデータＭ１を受信したメールクライアントにおいて、自身のメールアドレスがＴＯ宛先表示欄ｄ１２に表示されるか、または、ＣＣ宛先表示欄ｄ１３に表示されるかにより、受信したメールデータＭ１に対するユーザーの関心度に影響を及ぼす場合がある。例えば、ＴＯ宛先表示欄ｄ１２に自身のメールアドレスが表示されたメールデータＭ１に対しては、ユーザーが高い関心度を持つ可能性が高い。一方、ＣＣ宛先表示欄ｄ１３に自身のメールアドレスが表示されたメールデータＭ１に対しては、ユーザーが低い関心度しか持たない場合がある。
【００６２】
これに対して、実施形態２にかかるメールクライアント１では、受信側の各メールクライアントにおいて、当該各メールクライアントのメールアドレスをＴＯ宛先表示欄ｄ１２に表示させることができる。その結果、全ての送信先のメールアドレスのユーザーに、メールデータに対して高い関心度を持たせることができる。
【００６３】
図１４は、実施形態２にかかるメールクライアント１によるメールデータ生成処理および送信処理の動作の流れを示すフローチャートである。なお、図８に示すフローチャートと同内容の処理については同符号を付して説明を略する。
【００６４】
受付部５２がメールデータ送信指示を受け付けると（ステップＳ１３においてＹＥＳ）、メールデータ生成部５３は、宛先入力欄ｄ７に入力された複数のメールアドレスのうち１つのメールアドレスを送信先としたＲＥＣＰＴ ＴＯ情報と、当該１つのメールアドレスのみをＴＯ情報に含め、当該１つのメールアドレス以外のメールアドレスをＣＣ情報に含めたメールデータを生成する（ステップＳ２４）。
【００６５】
そして、メールデータ生成部５３は、ステップＳ２４のメールデータ生成処理を、宛先入力欄ｄ７に入力された全てのメールアドレスに対して実行する（ステップＳ２５）。
【００６６】
宛先入力欄ｄ７に入力された全てのメールアドレスに対してメールデータを生成した場合（ステップＳ２５においてＹＥＳ）、通信制御部５４は、通信部１１を介してメールデータ生成部５３が生成した複数のメールデータをメールサーバー２Ａへ送信する（ステップＳ１６）。
【００６７】
＜補足＞
上記の実施形態２の説明では、メールクライアント１の表示部１２に表示されるメールデータ生成画面Ｄ４にＴＯ宛先入力欄ｄ１、ＣＣ宛先入力欄ｄ２、およびＢＣＣ宛先入力欄ｄ３が設けられておらず、受付部５２が、ＴＯ宛先、ＣＣ宛先、ＢＣＣ宛先といったメールデータの種別の指定を受け付けない場合を説明した（図１２参照）が、本実施形態２にかかる発明は必ずしもこの場合に限定されない。
【００６８】
受付部５２は、ＴＯ宛先およびＣＣ宛先を含む送信宛先の種別の指定を受け付けてもよい。この場合、メールデータ生成部５３は、図１４に示すステップＳ２４の処理において、受付部５２が受け付けた送信宛先の種別の指定に限られず、メールアドレスのうち１つのメールアドレスを送信先としたＲＥＣＰＴ ＴＯ情報と、当該１つのメールアドレスのみをＴＯ情報に含め、当該１つのメールアドレス以外のメールアドレスをＣＣ情報に含めたメールデータを生成する。
【００６９】
＜実施形態３＞
実施形態３にかかるメールクライアント１では、メールアドレスの表示順序に関する優先順位を予め記憶しておき、当該優先順位に基づき、ＴＯ情報に含まれる複数のメールアドレス順番を変更する。そして、複数のメールアドレスに優先順番が同じメールアドレスが含まれる場合、当該優先順番が同じメールアドレスのうち１つのメールアドレスの順番を優先順番が同じ他のメールアドレスの順番よりも前の順番にしたＴＯ情報を生成する。
【００７０】
図１５は、記憶部１４に記憶されるメールアドレスの表示順序に関する優先順位の内容の一例を示す図である。図１５に示すように、記憶部１４には、複数のメールアドレスと当該複数のメールアドレスのそれぞれに付随する名前、年齢、役職等の付随情報とが含まれている。これらの情報は、メールクライアント１の予め定められた動作モード（アドレス帳登録モード）において、受付部５２によりメール作成者の操作部１３を用いたユーザー操作に基づいて受け付けられる。受付部５２は、当該受け付けた情報を記憶部１４に記憶させる。制御部５１は、記憶部１４に記憶された年齢、役職等の付随情報に基づき、複数のメールアドレスの優先順番を決定し、当該決定した優先順位を記憶部１４に記憶させる。この場合、制御部５１は、メールアドレスの優先順位を決定する優先順位決定部として機能する。
【００７１】
制御部５１は、メールアドレスに付随された役職の情報に基づきメールアドレスの優先順位を決定し、序列が高い役職の情報が付随されたメールアドレスの順位が高くなるように優先順位を決定する。また、制御部５１は、役職の序列が同じメールアドレスについては、その優先順位を同じ順位とする。図１５に示す例では、メールアドレス「ggg@ggg.com」「hhh@hhh.com」に付随された役職の情報はともに「係長」である。このため、制御部５１は、メールアドレス「ggg@ggg.com」「hhh@hhh.com」の優先順位を同じ順序に決定している。
【００７２】
図１６（Ａ）は、実施形態３にかかるメールクライアント１の表示部１２に表示されるメールデータ生成画面Ｄ１の一例を示す図である。図１６（Ｂ）は、図１５に示される優先順位に基づき決定されるメールアドレスの表示順序を示す図である。メールデータ生成部５３は、ＴＯ宛先入力欄ｄ１に入力された複数のメールアドレスの表示順序を、記憶部１４に記憶された優先順位順になるように決定する。優先順位が同じメールアドレス「ggg@ggg.com」「hhh@hhh.com」については、ＴＯ宛先入力欄ｄ１に入力された順序が前のメールアドレスである「ggg@ggg.com」の表示順序をメールアドレス「hhh@hhh.com」の表示順序よりも前に決定している。
【００７３】
メールデータ生成部５３は、ＴＯ宛先入力欄ｄ１に入力された複数のメールアドレスに優先順番が同じメールアドレスが含まれる場合に、優先順番が同じメールアドレスのうち１つのメールアドレスの順番を優先順番が同じ他のメールアドレスの順番よりも前の順番にしたＴＯ情報を生成する
【００７４】
図１７（Ａ）および図１７（Ｂ）は、図１６（Ａ）に示すメールデータ生成画面Ｄ１において入力された情報に基づき生成されるメールデータＭ１の内容の一例を示す図である。図１７（Ａ）に示されるメールデータＭ１は、メールアドレス「ggg@ggg.com」を送信先としたメールデータであり、ＲＥＣＰＴ ＴＯ情報にはメールアドレス「ggg@ggg.com」のみが含まれている（図１７（Ａ）中の点線領域ｆ１内を参照）。また、当該メールデータＭ１のＴＯ情報には、メールアドレス「ggg@ggg.com」の順番をメールアドレス「hhh@hhh.com」の順番よりも前の順番にしたメールアドレスの一覧が含まれている（図１７（Ａ）中の点線領域ｆ２内を参照）。
【００７５】
また、図１７（Ｂ）に示されるメールデータＭ１は、メールアドレス「hhh@hhh.com」を送信先としたメールデータであり、ＲＥＣＰＴ ＴＯ情報にはメールアドレス「hhh@hhh.com」のみが含まれる。また、ＴＯ情報には、ＴＯ宛先入力欄ｄ１に入力された入力順に並ぶメールアドレスの一覧からメールアドレス「hhh@hhh.com」の順番とメールアドレス「ggg@ggg.com」の順番とを入れ替えて、メールアドレス「hhh@hhh.com」の順番をメールアドレス「ggg@ggg.com」の順番よりも前の順番にしたメールアドレスの一覧が含まれている。
【００７６】
このように実施形態３にかかるメールクライアント１では、序列が高い役職の情報が付随されたメールアドレスについて、表示順序を前の順序に変更し、序列が低い役職の情報が付随されたメールアドレスについて、表示順序を後ろの順序に変更することで、受信側のメールクライアントの表示部に表示されるメールアドレスの一覧の表示順序を、役職の序列を考慮したものにしている。そして、役職の序列が同じメールアドレスについては、当該同じメールアドレスのうち１つのメールアドレスの順番を優先順番が同じ他のメールアドレスの順番よりも前の順番にしたＴＯ情報を生成することで、受信側の各メールクライアントのＴＯ宛先表示欄ｄ１２に、当該各メールクライアントのメールアドレスを優先順番が同じ他のメールアドレスよりも前の順番に表示させることができる。その結果、各送信先のメールアドレスのユーザーに、メールデータに対して高い関心度を持たせることができる。
【００７７】
図１８は、実施形態３にかかるメールクライアント１によるメールデータ生成処理および送信処理の動作の流れを示すフローチャートである。なお、図８に示すフローチャートと同内容の処理については同符号を付して説明を略する。
【００７８】
受付部５２がメールデータ送信指示を受け付けると（ステップＳ１３においてＹＥＳ）、メールデータ生成部５３は、記憶部１４に記憶された年齢、役職等の付随情報に基づき、ＴＯ宛先入力欄ｄ１に入力された複数のメールアドレスの優先順番を決定する（ステップＳ３１）。
【００７９】
ステップＳ３１の処理後、メールデータ生成部５３は、ＴＯ宛先入力欄ｄ１に入力された複数のメールアドレスに優先順番が同じメールアドレスが含まれる場合に、優先順番が同じメールアドレスのうち１つのメールアドレスの順番を優先順番が同じ他のメールアドレスの順番よりも前の順番にしたＴＯ情報を生成する（ステップＳ３２）
【００８０】
そして、メールデータ生成部５３は、ステップＳ３２のメールデータ生成処理を、優先順位が同じ全てのメールアドレスに対して実行する（ステップＳ３３）。
【００８１】
優先順位が同じ全てのメールアドレスに対してメールデータを生成した場合（ステップＳ３３においてＹＥＳ）、通信制御部５４は、通信部１１を介してメールデータ生成部５３が生成した複数のメールデータをメールサーバー２Ａへ送信する（ステップＳ１６）。
【００８２】
なお、本発明は、上記の実施形態の構成に限られず種々の変形が可能である。例えば、上記の実施形態および上記の各変形例をそれぞれ組み合わせるとしてもよい。
【００８３】
また、上記の実施形態や変形例で説明した通信制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該通信制御プログラムを記録したコンピューター読み取り可能な非一時的な記録媒体が、本発明の一実施形態となる。
【符号の説明】
【００８４】
１ メールクライアント
１１ 通信部
１２ 表示部
１３ 操作部
１４ 記憶部
５０ 制御ユニット
５１ 制御部
５２ 受付部
５３ メールデータ生成部
５４ 通信制御部
５５ 表示制御部
【図１】
0006055801.tif 000002
【図２】
0006055801.tif 000003
【図３】
0006055801.tif 000004
【図４】
0006055801.tif 000005
【図５】
0006055801.tif 000006
【図６】
0006055801.tif 000007
【図７】
0006055801.tif 000008
【図８】
0006055801.tif 000009
【図９】
0006055801.tif 000010
【図１０】
0006055801.tif 000011
【図１１】
0006055801.tif 000012
【図１２】
0006055801.tif 000013
【図１３】
0006055801.tif 000014
【図１４】
0006055801.tif 000015
【図１５】
0006055801.tif 000016
【図１６】
0006055801.tif 000017
【図１７】
0006055801.tif 000018
【図１８】
0006055801.tif 000019